(57)【要約】【課題】発光管が消灯直後のような高温状態であっても、数秒から数１０秒程度の短い時間で再点灯できるとともに低コスト化を可能にする。【解決手段】集魚用ランプ１０を構成する保護管１２内に気密に収容された発光管１１の電極１１６，１１７を、タングステン製の棒状体ａと、この棒状体ａの外周に数ターンないし１０ターン程度巻回されたタングステンとトリウムとの合金細線ｂとから構成し、さらに、発光管１１を構成する管体１１１の外周面にトリガー導体１１８を管体１１１の全長に亘りスパイラル状に巻回し、また、電極１１６，１１７の棒状体ａを含むトリウム合金細線ｂの表面に酸化トリウムの被膜を施すように構成した。【選択図】　図１
0003098132.tif 000002
【実用新案登録請求の範囲】
【請求項１】
両端に電極を有する所望長さの発光管と、前記発光管を密封状態に収容するガラス製の保護管と、前記保護管に前記発光管を保護管内に非接触の状態で支持するとともに前記両電極のそれぞれに接続された一対のリード線とを備える集魚用ランプであって、
前記両電極は、タングステンからなる所定太さの直線状の棒状体と、この棒状体の外周に複数ターン巻回されたタングステンとトリウムとの合金細線とから構成され、
前記発光管の外周面には、前記一方の電極との間でトリガー用放電を生じさせるためのトリガー導体が前記発光管の長手方向に沿って設けられ、前記トリガー導体の一端は前記他方の電極のリード線に接続されていることを特徴とする集魚用ランプ。
【請求項２】
前記電極の合金細線は前記棒状体の外周に数ターンないし数１０ターンが一層もしくは二層に分けて巻回されていることを特徴とする請求項１記載の集魚用ランプ。
【請求項３】
前記トリガー導体は前記発光管の外周面に該発光管の長手方向に沿ってスパイラル状に巻回されていることを特徴とする請求項１記載の集魚用ランプ。
【請求項４】
前記電極の棒状体を含む前記合金細線の表面に酸化トリウムの被膜を施したことを特徴とする請求項１または２記載の集魚用ランプ。
【請求項５】
前記発光管内にはアルゴン、ネオン、キセノンやクリプトン等の希ガスの単体もしくはこれらの混合体または水銀をベースにした金属ハロゲン化物が封入され、前記保護管内には窒素ガスが封入されていることを特徴とする請求項１記載の集魚用ランプ。
【請求項６】
集魚用ランプと、前記集魚用ランプのランプ電流を制限する安定器及び該安定器の二次側に接続され高圧パルスを発生することにより前記集魚用ランプを点灯するイグナイタとを有する集魚灯装置であって、
前記集魚用ランプは、両端に電極を有する所望長さの発光管と、前記発光管を密封状態に収容するガラス製の保護管と、前記保護管に前記発光管を保護管内に非接触の状態で支持するとともに前記両電極のそれぞれに接続された一対のリード線とを備え、
前記両電極は、タングステンからなる所定太さの直線状の棒状体と、この棒状体の外周に複数ターン巻回されたタングステンとトリウムとの合金細線とから構成され、
前記発光管の外周面には、前記一方の電極との間でトリガー用放電を生じさせるためのトリガー導体が前記発光管の長手方向に沿って設けられ、前記トリガー導体の一端は前記他方の電極のリード線に接続されていることを特徴とする集魚灯装置。
【請求項７】
前記電極の合金細線は前記棒状体の外周に数ターンないし数１０ターンが一層もしくは二層に分けて巻回されていることを特徴とする請求項６記載の集魚灯装置。
【請求項８】
前記トリガー導体は前記発光管の外周面に該発光管の長手方向に沿いスパイラル状に巻回して設けられていることを特徴とする請求項６記載の集魚灯装置。
【請求項９】
前記電極の棒状体を含む前記合金細線の表面に酸化トリウムの被膜を施したことを特徴とする請求項６または７記載の集魚灯装置。
【請求項１０】
前記発光管内にはアルゴン、ネオン、キセノンやクリプトン等の希土類ガスの単体もしくはこれらの混合体または水銀をベースにした金属ハロゲン化物が封入され、前記保護管内には窒素ガスが封入されていることを特徴とする請求項６記載の集魚灯装置。
【請求項１１】
前記集魚用ランプの長手方向に沿って平行に配置され、かつ前記集魚用ランプからの出射光を照明対象に向けて反射する反射板を備え、前記反射板の裏面には前記イグナイタが配設され、前記イグナイタと前記安定器の二次側との間は給電ケーブルにより接続されていることを特徴とする請求項６記載の集魚灯装置。
【考案の詳細な説明】
【０００１】
【考案の属する技術分野】
本考案は、イカやサバ、サンマなどの魚を捕獲する漁船に使用される集魚用ランプ及び集魚灯装置に関し、特に、再点灯時間を大幅に短縮できるようにした集魚用ランプ及び集魚灯装置に関するものである。
【０００２】
【従来の技術】
イカやサバ、サンマなどの魚を捕獲する漁船においては、複数本（２０〜３０本）の集魚灯用支柱を甲板から海上に向けて突出された状態に配設し、この各集魚灯用支柱に２０個程度の集魚用ランプを吊り下げ状態に設け、これら各集魚用ランプを漁船の発電機室等に集魚用ランプ毎に設けた別々の点灯回路に高圧ケーブルを介して接続し、これら集魚用ランプを点灯し、または点滅を繰り返すことにより集まってくる魚を釣ったり、あるいは網で捕らえるようにしている。また、このような集魚用ランプには、白熱ランプやハロゲンランプ、または水銀ランプやメタルハライドランプなどの小型放電ランプが使用されている（例えば、特許文献１参照）。
【０００３】
【特許文献１】
特開平９−２２６８３号
【０００４】
【考案が解決しようとする課題】
しかし、従来、集魚用ランプとして使用される白熱ランプやハロゲンランプは、その寿命が比較的短いため、予備の白熱ランプまたはハロゲンランプを多数用意しておく必要があり、その保管が面倒になるとともに、これらランプの交換頻度の高くなって、魚の捕獲操業に支障を来たすことになる。また、白熱ランプやハロゲンランプの寿命が短いのに加えて、照度の経時的劣化も大きいため、操業中にランプが不点灯になったり、照度不足になるおそれがあった。
【０００５】
これに対して、水銀ランプやメタルハライドランプなどの小型放電ランプは、上述した白熱ランプやハロゲンランプの問題点を解決できるが、その反面、消灯後の再点灯に１０分ないしそれ以上の時間がかかるという問題がある。したがって、この種の小型放電ランプでは、一度点灯したならば、操業の如何にかかわらず、常に点灯状態に保持しておかなければならない。このことは、消費電力量を増大させるとともに燃料等のエネルギ損失が大きく、操業コストも増大するという問題がある。
【０００６】
そこで、従来においては、再点灯時間を短縮できる集魚用ランプとして、図１に示すようなねじ込み型の放電ランプが知られている。
この図１に示す集魚用の放電ランプ１は、ロングアークタイプの放電管と称される発光管２と、この発光管２を密封状態に収容する硬質ガラス製の外管３とを備え、発光管２は外管３内に互いの軸線を一致して配置され、さらに、発光管２の両端は、外管３の一端に設けられた口金４と端子５に電気的に接続され、かつ外管３のステム３ａに支持された一対のリード線４ａ，４ｂによって支持されている。また、外管３内には、熱放射を良好にするための窒素ガスが封入されている。
【０００７】
上記発光管２は、両端が閉塞された石英製の円筒体２ａからなり、この円筒体２ａ内の両端部には、タングステンからなる１対の主電極２ｂ，２ｃが封入状態に設けられ、この各主電極２ｂ，２ｃはリード線４ａ，４ｂにそれぞれ接続されている。
また、円筒体２ａ内には、タングステン製の補助電極２ｄが一方の主電極２ａに接近させて設けられ、この補助電極２ｄは電流制限抵抗５を介してリード線４ｂに接続されている。また、円筒体２ａ内には、主にアルゴンとネオンの混合ガスが封入され、さらに、目的の発光波長に応じて、スカンジウム（Ｓｃ），タリウム（Ｔｌ），ナトリウム（Ｎａ）等の希土類元素が混入されている。
【０００８】
このような従来の集魚用放電ランプ１においては、この放電ランプ１の点灯回路（図示せず）に設けたスイッチが投入されると、まず、補助電極２ｄと一方の主電極２ａとの間にグロー放電が開始され、このグロー放電によって主電極２ｂと２ｃ間での主放電が開始される。
このように発光管２内に補助電極２ｄを設けることにより、発光管２がロングアークタイプの放電管であっても、発光管２の始動電圧を低くでき、かつ放電ランプの点灯を確実にできる。因みに、この種の集魚用放電ランプでは、補助電極がない場合の始動電圧が１０００Ｖ〜２０００Ｖ程度必要であるのに対し、補助電極がある場合の始動電圧は５００Ｖ〜１０００Ｖ程度となる。
【０００９】
しかし、このような従来の集魚用放電ランプ１では、最初に補助電極２ｄと一方の主電極２ａとの間でグロー放電させるために、補助電極２ｄの先端を０．３〜０．６φ程度の細さに加工する必要があるとともに、補助電極２ｄを含む発光管２の過熱及び破壊を防止するための電流制限抵抗５を設ける必要があるため、発光管２を含む放電ランプ自体の構造が複雑になり、価格も高くなるほか、補助電極２ｄと一方の主電極２ａとの間の間隔が適切に設定されていないと、点灯不良の要因となり易い。
また、この種従来の集魚用放電ランプ１は、その連続点灯中に一旦消灯された場合、発光管２がある程度冷えて、発光管２の温度が低下しないと、再点灯ができない。すなわち、集魚用放電ランプ１を再点灯するには、５分ないしそれ以上の時間を要するという問題がある。
【００１０】
本考案の目的は、発光管が消灯直後のような高温状態であっても、数秒から数１０秒程度の短い時間で再点灯できるとともに低コスト化を可能にした集魚用ランプ及び集魚灯装置を提供することにある。
【００１１】
【課題を解決するための手段】
上記目的を達成するために、請求項１の考案は、両端に電極を有する所望長さの発光管と、前記発光管を密封状態に収容するガラス製の保護管と、前記保護管に前記発光管を保護管内に非接触の状態で支持するとともに前記両電極のそれぞれに接続された一対のリード線とを備える集魚用ランプであって、前記両電極は、タングステンからなる所定太さの直線状の棒状体と、この棒状体の外周に複数ターン巻回されたタングステンとトリウムとの合金細線とから構成され、前記発光管の外周面には、前記一方の電極との間でトリガー用放電を生じさせるためのトリガー導体が前記発光管の長手方向に沿って設けられ、前記トリガー導体の一端は前記他方の電極のリード線に接続されていることを特徴とする。
【００１２】
請求項２の考案は、請求項１記載の集魚用ランプにおいて、前記電極の合金細線は前記棒状体の外周に数ターンないし数１０ターンが一層もしくは二層に分けて巻回されていることを特徴とする。
請求項３の考案は、請求項１記載の集魚用ランプにおいて、前記トリガー導体は前記発光管の外周面に該発光管の長手方向に沿ってスパイラル状に巻回されていることを特徴とする。
【００１３】
請求項４の考案は、請求項１または２記載の集魚用ランプにおいて、前記電極の棒状体を含む前記合金細線の表面に酸化トリウムの被膜を施したことを特徴とする。
請求項５の考案は、請求項１記載の集魚用ランプにおいて、前記発光管内にはアルゴン、ネオン、キセノンやクリプトン等の希ガスの単体もしくはこれらの混合体または水銀をベースにした金属ハロゲン化物が封入され、前記保護管内には窒素ガスが封入されていることを特徴とする。
【００１４】
請求項６の考案は、集魚用ランプと、前記集魚用ランプのランプ電流を制限する安定器及び該安定器の二次側に接続され高圧パルスを発生することにより前記集魚用ランプを点灯するイグナイタとを有する集魚灯装置であって、前記集魚用ランプは、両端に電極を有する所望長さの発光管と、前記発光管を密封状態に収容するガラス製の保護管と、前記保護管に前記発光管を保護管内に非接触の状態で支持するとともに前記両電極のそれぞれに接続された一対のリード線とを備え、前記両電極は、タングステンからなる所定太さの直線状の棒状体と、この棒状体の外周に複数ターン巻回されたタングステンとトリウムとの合金細線とから構成され、前記発光管の外周面には、前記一方の電極との間でトリガー用放電を生じさせるためのトリガー導体が前記発光管の長手方向に沿って設けられ、前記トリガー導体の一端は前記他方の電極のリード線に接続されていることを特徴とする。
【００１５】
請求項７の考案は、請求項６記載の集魚灯装置において、前記電極の合金細線は前記棒状体の外周に数ターンないし数１０ターンが一層もしくは二層に分けて巻回されていることを特徴とする。
請求項８の考案は、請求項６記載の集魚灯装置において、前記トリガー導体は前記発光管の外周面に該発光管の長手方向に沿いスパイラル状に巻回して設けられていることを特徴とする。
【００１６】
請求項９の考案は、請求項６または７記載の集魚灯装置において、前記電極の棒状体を含む前記合金細線の表面に酸化トリウムの被膜を施したことを特徴とする。
請求項１０の考案は、請求項６記載の集魚灯装置において、前記発光管内にはアルゴン、ネオン、キセノンやクリプトン等の希土類ガスの単体もしくはこれらの混合体または水銀をベースにした金属ハロゲン化物が封入され、前記保護管内には窒素ガスが封入されていることを特徴とする。
【００１７】
請求項１１の考案は、請求項６記載の集魚灯装置において、前記集魚用ランプの長手方向に沿って平行に配置され、かつ前記集魚用ランプからの出射光を照明対象に向けて反射する反射板を備え、前記反射板の裏面には前記イグナイタが配設され、前記イグナイタと前記安定器の二次側との間は給電ケーブルにより接続されていることを特徴とする。
【００１８】
【考案の実施の形態】
以下、本考案の実施の形態について図面を参照して説明する。
図２は本考案にかかる第１の実施の形態を示す集魚用ランプの概略構成図、図３はこの第１の実施の形態における集魚用ランプの電極構造の詳細を示す斜視図である。
【００１９】
図２に示す集魚用ランプ１０はねじ込みタイプのもので、発光管１１と、この発光管１１を密封状態に収容するガラス製の保護管１２を備える。
前記発光管１１は、ロングアークタイプの放電管を構成するもので、所望長さ（例えば、２５０ｍｍ）を有する石英製の管体１１１と、この管体１１１の両端に気密に接合された碍子１１２，１１３と、この各碍子１１２，１１３の軸心に気密に設けられたリード線１１４，１１５と、管体１１１内の両端部に位置して配置され、前記各リード線１１４，１１５にそれぞれの碍子１１２，１１３内で電気的に接続された一対の電極１１６，１１７とを備え、さらに、管体１１１の外周面には、一方の電極１１６との間でトリガー用放電を生じさせるためのトリガー導体１１８が管体１１１の全長に亘りスパイラル状に巻回され、このトリガー導体１１８の一端は他方の電極１１７のリード線１１５に接続されている。
また、発光管１１の管体１１１内には、アルゴン、ネオン、キセノンやクリプトン等の希ガスの単体もしくはこれらの混合体または水銀をベースにした金属ハロゲン化物が封入されている。
【００２０】
前記電極１１６，１１７は、図３に示すように、タングステンからなる所定太さ（例えば、φ＝１．５〜４ｍｍ）の直線状の棒状体ａと、この棒状体ａの外周に、数ターンないし１０ターン程度が一層に巻回されたタングステンとトリウム（１％〜５％）との合金細線ｂ（例えば、φ＝０．５〜１．０ｍｍ）とから構成され、さらに、この棒状体ａを含む合金細線ｂの表面には酸化トリウムが塗布され、これを所定の温度、例えば２０００℃以下で焼き付けることにより、酸化トリウムの被膜が形成されるようになっている。
【００２１】
前記保護管１２は、図２に示すように、発光管１１より十分に長い長さと、十分に大きい径（例えば、φ＝８５ｍｍ）を有し、この保護管１２の一端にはねじ込み用の口金１３が気密に設けられ、他端には碍子１４が気密に設けられ、さらに、保護管１２内には、発光管１１の熱を保護管１２の外へ良好に放射するための窒素ガスが封入されている。
また、前記発光管１１のリード線１１４，１１５は、発光管１１を保護管１２内に軸線を一致して保持する機能を有しており、この一方のリード線１１４は、保護管１２の一端に設けた封止用のステム１２１を気密に貫通支持されるとともに、口金１３と電気的に絶縁された端子１５に接続されている。また、他方のリード線１１５は碍子１４に気密に貫通支持され、このリード線１１５には給電用リード端子１６が接続されている。
なお、図２において、符号１７で示す黒塗り部分は管体１１１の両端外周面に塗布された水金等の保温膜である。
【００２２】
このような本実施の形態に示す集魚用ランプ１０においては、発光管１１の電極１１６，１１７を、タングステンからなる所定太さの棒状体ａと、この棒状体ａの外周に数ターンないし１０ターン程度巻回されたタングステンとトリウムとの合金細線ｂとから構成したので、集魚用ランプの低コスト化が可能になり、かつ、電極１１６と１１７間の電子放射が高められ、集魚用ランプの始動電圧を低くできるとともに、点灯までの立ち上がり時間を早めることができる。因みに、瞬時点灯式と称される従来の集魚用ランプ始動に要する電圧が１０，０００Ｖ〜１５，０００Ｖであるのに対して、この実施の形態による集魚用ランプ１０では、その始動電圧は４，０００Ｖ程度で済み、かつ、発光管１１が消灯直後のような高温状態であっても、これを数秒から数１０秒程度の短い時間で再点灯することができる。
また、集魚用ランプの始動電圧を低くできることにより、点灯回路を構成するイグナイタを小型軽量化できる。
【００２３】
また、上記第１の実施の形態を示す集魚用ランプにおいては、発光管１１を構成する管体１１１の外周面にトリガー導体１１８を管体１１１の全長に亘りスパイラル状に巻回した構成になっているため、このトリガー導体１１８と一方の電極１１６との間でトリガー用放電を生じさせることにより、集魚用ランプ１０の始動電圧を一段と低くすることができ、点灯回路を構成するイグナイタの小型軽量化を更に促進できる。
また、この第１の実施の形態を示す集魚用ランプによれば、電極の棒状体ａを含むトリウム合金細線ｂの表面に酸化トリウムの被膜を施す構成にしたので、集魚用ランプの始動電圧を更に低減できるとともに再点灯時間を更に短縮することができる。
【００２４】
次に、図４により本考案にかかる集魚用ランプを用いた集魚灯装置の実施の形態について説明する。
図４は本考案にかかる集魚灯装置の構成を示す説明図である。
この図４に示す集魚灯装置２０は、集魚用ランプ１０と、その反射板２１と、集魚用ランプ１０の点灯回路を構成する安定器２２及びイグナイタ２３を備えている。
前記集魚用ランプ１０は、上記図２及び図３に示す集魚用ランプ１０と同様に構成されているので、その構成説明は省略する。
【００２５】
前記反射板２１は、図４に示すように、集魚用ランプ１０の長手方向に沿って平行に配置され、かつ集魚用ランプ１０からの出射光を照明対象である海面３０に向けて反射するもので、ステンレス等の腐食性の金属板材から構成されている。この反射板２１の反射面側の一端には集魚用ランプ１０の口金１３が螺合される受部２１１が設けられ、さらに、反射板２１の反射面側の他端には集魚用ランプ１０の給電用リード端子１６が接続される給電端子２１２が設けられている。
また、反射板２１の裏面には前記イグナイタ２３が配設され、このイグナイタと前記安定器２２の二次側との間は給電ケーブル２４により接続されている。
なお、前記反射板２１は、漁船の甲板から海上に向けて突出された集魚灯用支柱に海面３０に対して平行になるように取り付けられている。
【００２６】
前記安定器２２は、集魚用ランプ１０のランプ電流を制限するもので、図４に示すように、単巻変圧器から構成されている。この安定器２２の一次側の入力端子２２ａは漁船の発電機室に設置された発電機（図示省略）に接続され、そして、安定器２２の二次側は力率改善用のコンデンサ２５を介して出力端子２６に接続されている。また、この出力端子２６には給電ケーブル２４を介してイグナイタ２３が接続されている。
前記イグナイタ２３は、安定器２２の二次出力を基に高圧パルスを発生し、この高圧パルスを給電ケーブル２４を通して集魚用ランプ１０に供給することで集魚用ランプ１０を点灯するものである。
【００２７】
このような集魚灯装置２０においては、その集魚用ランプ１０の発光管１１の電極１１６，１１７を、タングステン製の棒状体ａと、この棒状体ａの外周に数ターンないし１０ターン程度巻回されたタングステンとトリウムとの合金細線ｂとから構成し、さらに、発光管１１を構成する管体１１１の外周面にトリガー導体１１８を管体１１１の全長に亘りスパイラル状に巻回し、また、電極の棒状体ａを含むトリウム合金細線ｂの表面に酸化トリウムの被膜を施すようにしたので、上記第１の実施の形態と同様な作用効果が得られるほか、アークを不安定にすることなく集魚用ランプ１０を海面３０に対して水平になるように配置することができる。これにより、集魚用ランプ１０の海面３０に対する照射面積を拡大できるとともに、反射板２１を集魚用ランプ１０の長手方向に平行に配置して、集魚用ランプ１０からの出射光を海面３０に向けて反射することができるから、１個の集魚用ランプ１０による海面３０の照明を、より有効に行うことができるほか、実際の海面照明に要する集魚用ランプ１０の数を削減することができる。
【００２８】
また、この集魚灯装置２０によれば、集魚用ランプ１０のイグナイタ２３を小型軽量化できるため、イグナイタ２３を集魚用ランプ１０の反射板２１に直接設置することができ、これに伴い、イグナイタ２３から集魚用ランプ１０への高圧パルスの供給が容易になり、かつ集魚用ランプ１０の海上での使用が容易になるほか、トリガー導体１１８を含む発光管１１は保護管１２内に密閉状態に収容されているため、トリガー導体１１８を含む発光管１１を海水や雨水等から保護できるので、海上での集魚灯として安全に使用することができる。
【００２９】
次に、図５により本考案にかかる集魚用ランプの第１の変形例について説明する。
この図５に示す集魚用ランプ４０は差し込みタイプのもので、発光管４１と、この発光管４１を密封状態に収容するガラス製の保護管４２を備える。
前記発光管４１は、石英製の管体４１１と、この管体４１１の両端に気密に接合された碍子４１２，４１３と、この各碍子４１２，４１３の軸心に気密に設けられたリード線４１４，４１５と、管体４１１内の両端部に位置して配置され、前記各リード線４１４，４１５にそれぞれの碍子４１２，４１３内で電気的に接続された一対の電極４１６，４１７とを備え、さらに、管体４１１の外周面には、一方の電極４１６との間でトリガー用放電を生じさせるためのトリガー導体４１８が管体４１１の全長に亘りスパイラル状に巻回され、このトリガー導体４１８の一端は他方の電極４１７のリード線４１５に接続されている。
また、発光管４１の管体４１１内には、アルゴン、ネオン、キセノンやクリプトン等の希ガスの単体もしくはこれらの混合体または水銀をベースにした金属ハロゲン化物が封入されている。
また、前記電極４１６，４１７は、上記図３に示す場合と同様に構成されている。
【００３０】
前記保護管４２は、図５に示すように、発光管４１より十分に長い長さと、十分に大きい径（例えば、φ＝８５ｍｍ）を有し、この保護管４２の一端は閉塞され、その他端には電気絶縁製のベース４３が気密に設けられ、さらに、保護管４２内には、発光管４１の熱を保護管４２の外へ良好に放射するための窒素ガスが封入されている。
また、前記発光管４１のリード線４１４，４１５は、発光管４１を保護管４２内に軸線を一致して保持する機能を有しており、この両リード線４１４，４１５は、保護管４２の一端に設けた封止用のステム４２１を気密に貫通支持されるとともに、ベース４３に外方へ突出するように設けた一対のピン端子４４，４５に接続されている。
なお、図５において、符号４６で示す黒塗り部分は管体４１１の両端外周面に塗布された水金等の保温膜である。
【００３１】
このように構成された集魚用ランプ４０は、集魚用ランプ４０が差し込みタイプである点が上記図２に示すねじ込みタイプと異なるものの、その作用効果は図２に示す実施の形態と同様である。
【００３２】
次に、図６及び図７により本考案にかかる集魚用ランプの第２の変形例について説明する。
この図６に示す集魚用ランプ５０は両持ちタイプのもので、発光管５１と、この発光管５１を密封状態に収容するガラス製の保護管５２を備える。
前記発光管５１は、石英製の管体５１１と、この管体５１１の両端に気密に接合された碍子５１２，５１３と、この各碍子５１２，５１３の軸心に気密に設けられたリード線５１４，５１５と、管体５１１内の両端部に位置して配置され、前記各リード線５１４，５１５にそれぞれの碍子５１２，５１３内で電気的に接続された一対の電極５１６，５１７とを備え、さらに、管体５１１の外周面には、一方の電極５１６との間でトリガー用放電を生じさせるためのトリガー導体５１８が管体５１１の全長に亘りスパイラル状に巻回され、このトリガー導体５１８の一端は他方の電極５１７のリード線５１５に接続されている。
また、発光管５１の管体５１１内には、アルゴン、ネオン、キセノンやクリプトン等の希ガスの単体もしくはこれらの混合体または水銀をベースにした金属ハロゲン化物が封入されている。
また、前記電極５１６，５１７は、上記図３に示す場合と同様に構成されている。
【００３３】
前記保護管５２は、図６に示すように、発光管５１より大きい長さと径を有し、この保護管５２の両端には碍子５３，５４が気密に設けられ、さらに、保護管５２内には、発光管５１の熱を保護管５２の外へ良好に放射するための窒素ガスが封入されている。
また、前記発光管５１のリード線５１４，５１５は、発光管５１を保護管５２内に軸線を一致して保持する機能を有しており、この両リード線５１４，５１５は、保護管４２の両端に設けた碍子５３，５４に気密に貫通支持されている。
なお、図６において、符号５５で示す黒塗り部分は管体５１１の両端外周面に塗布された水金等の保温膜である。
また、両端の碍子５３，５４には、図７に示すような保持金具５６，５７がそれぞれ取り付けられており、集魚用ランプ５０は、この保持金具５６，５７によって、反射板等に取り付けられるようになっている。
【００３４】
このように構成された集魚用ランプ５０は、集魚用ランプ５０が両持ちタイプである点が上記図２に示すねじ込みタイプと異なるものの、その作用効果は図２に示す実施の形態と同様である。
【００３５】
なお、上記実施の形態では、電極を構成する棒状体ａの外周にタングステンとトリウムとの合金細線ｂを数ターンないし１０ターン程度一層に巻回した場合について説明したが、本考案はこれに限らず、数ターンないし１０ターン程度に巻回したトリウム合金細線ｂを二層に設けるようにしてもよい。
また、上記実施の形態では、トリガー導体１１８を管体１１１の外周面にその全長に亘りスパイラル状に巻回した場合について説明したが、本考案はこれに限らず、トリガー導体１１８を管体１１１外周面にその長手方向に直線状に設ける構造のものでもよい。
【００３６】
【考案の効果】
以上のように本考案の集魚用ランプによれば、保護管内に気密に収容された発光管の電極を、タングステンからなる棒状体と、この棒状体の外周に数ターンないしターン程度巻回されたタングステンとトリウムとの合金細線とから構成したので、集魚用ランプの低コスト化が可能になり、かつ、電極間の電子放射が高められ、集魚用ランプの始動電圧を低くできるとともに、点灯までの立ち上がり時間を早めることができる。これにより、発光管が消灯直後のような高温状態であっても、これを数秒から数１０秒程度の短い時間で再点灯することができる。
また、集魚用ランプの始動電圧を低くできることにより、点灯回路を構成するイグナイタを小型軽量化できる。
【００３７】
また、本考案の集魚用ランプによれば、発光管の外周面にトリガー導体を発光管の長手方向に沿って設ける構成にしたので、このトリガー導体とこれに対向する一方の電極との間でトリガー用放電を生じさせることにより、集魚用ランプの始動電圧を一段と低くすることができ、点灯回路を構成するイグナイタの小型軽量化を更に促進できる。
また、本考案の集魚用ランプによれば、電極の棒状体を含むトリウム合金細線の表面に酸化トリウムの被膜を施す構成にしたので、集魚用ランプの始動電圧を更に低減できるとともに再点灯時間を更に短縮することができる。
【００３８】
また、本考案の集魚灯装置によれば、集魚用ランプの保護管内に気密に収容された発光管の電極を、タングステンからなる棒状体と、この棒状体の外周に数ターンないしターン程度巻回されたタングステンとトリウムとの合金細線とから構成し、さらに、発光管の外周面にトリガー導体を発光管の長手方向に沿って設け、さらにまた、電極の棒状体を含むトリウム合金細線の表面に酸化トリウムの被膜を施すようにしたので、集魚用ランプの低コスト化が可能になり、かつ、電極間の電子放射が高められ、集魚用ランプの始動電圧を低くでき、点灯までの立ち上がり時間を早めることができる。これにより、発光管が消灯直後のような高温状態であっても、これを数秒から数１０秒程度の短い時間で再点灯することができるとともに、アークを不安定にすることなく集魚用ランプを海面に対して水平になるように配置することができる。
これにより、集魚用ランプの海面に対する照射面積を拡大でき、反射板を集魚用ランプの長手方向に平行に配置して、集魚用ランプからの出射光を海面３０に向けて反射することができるほか、１個の集魚用ランプによる海面の照明を、より有効に行うことができ、実際の海面照明に要する集魚用ランプの数を削減することができる。
【００３９】
また、本考案の集魚灯装置によれば、集魚用ランプのイグナイタを小型軽量化できるため、イグナイタを集魚用ランプの反射板に直接設置することができ、これに伴い、イグナイタから集魚用ランプへの高圧パルスの供給が容易になり、かつ集魚用ランプの海上での使用が容易になるほか、トリガー導体を含む発光管は保護管内に密閉状態に収容されているため、トリガー導体を含む発光管を海水や雨水等から保護でき、海上での集魚灯として安全に使用することができる。
【図面の簡単な説明】
【図１】従来における集魚用ランプの構成説明図である。
【図２】本考案にかかる第１の実施の形態を示す集魚用ランプの概略構成図である。
【図３】本考案の第１の実施の形態における集魚用ランプの電極構造の詳細を示す斜視図である。
【図４】本考案にかかる集魚灯装置の構成を示す説明図である。
【図５】本考案にかかる集魚用ランプの第１の変形例を示す集魚用ランプの概略構成図である。
【図６】本考案にかかる集魚用ランプの第２の変形例を示す集魚用ランプの概略構成図である。
【図７】本考案の第２の変形例における保持金具の側面図である。
【符号の説明】
１０　　　　集魚用ランプ
１１　　　　発光管
１２　　　　保護管
１１１　　　管体
１１４，１１５　　　リード線
１１６，１１７　　　電極
１１８　　　トリガー導体
ａ　　　　　棒状体
ｂ　　　　　合金細線
２０　　　　集魚灯装置
２１　　　　反射板
２２　　　　安定器
２３　　　　イグナイタ
２４　　　　給電ケーブル
４０　　　　集魚用ランプ
４１　　　　発光管
４２　　　　保護管
４１１　　　管体
４１４，４１５　　　リード線
４１６，４１７　　　電極
４１８　　　トリガー導体
５０　　　　集魚用ランプ
５１　　　　発光管
５２　　　　保護管
５１１　　　管体
５１４，５１５　　　リード線
５１６，５１７　　　電極
５１８　　　トリガー導体
【図１】
0003098132.tif 000003
【図２】
0003098132.tif 000004
【図３】
0003098132.tif 000005
【図４】
0003098132.tif 000006
【図５】
0003098132.tif 000007
【図６】
0003098132.tif 000008
【図７】
0003098132.tif 000009